(57)【特許請求の範囲】
【請求項１】
フランジから底部に向かって容器の略半分の深さまで延在する、側壁の内壁面に形成されたポケットと、該ポケットから適当な間隙を置いて或いは該ポケットに隣接して、底部からフランジに向かって容器の略半分の高さまで延在する、側壁の外壁面に形成された支脚との組み合わせからなるポケット・支脚部が、相対する側壁に、それぞれ複数組み形成されているとともに、上に位置する容器の支脚が、下に位置する容器のポケットに挿入されることにより、上に位置する容器が、下に位置する容器に嵌め込まれた状態、所謂、ネスティング状態となり、また、上に位置する容器の支脚が、下に位置する容器のフランジに載置された状態、所謂、スタッキング状態となるように構成された運搬用容器において、前記支脚の下面には、スタッキング状態において、下に位置する容器内に挿入され、上に位置する容器の横移動を少なくする機能を有する寄せリブが形成されているとともに、スライドスタッキング時に、下に位置する容器のポケットを乗り越える支脚に形成された寄せリブのスライド方向前方に位置する垂直側面には、前記側壁の外壁面から、前記寄せリブの先端に向かう傾斜面が形成されていることを特徴とする運搬用容器。
【発明の詳細な説明】
【０００１】
【発明の属する技術分野】
本発明は、空の運搬用容器（以下、運搬用容器を、単に、「容器」ともいう。）を積み重ねる際には、上に位置する容器の略半分が、下に位置する容器に嵌め込まれ、所謂、ネスティングされ、また、内容物が収納された容器を積み重ねる際には、上に位置する容器が、下に位置する容器のフランジに載置されて、嵌め込まれないように積み重ねる、所謂、スタッキングされることが可能な容器に関するものである。
【０００２】
【従来の技術】
図５〜図１０を用いて、従来の運搬用容器Ｂについて説明する。
【０００３】
容器Ｂは、底部１、外側にやや傾斜した相対する長辺側の側壁２ａ、２ｂ（以下、単に、「長側壁」という。）及び同じく外側にやや傾斜した相対する短辺側の側壁２ｃ、２ｄ（以下、単に、「短側壁」という。）とから構成されている。３は、容器Ｂの開口部を取り囲むように、長側壁２ａ、２ｂ及び短側壁２ｃ、２ｄの上端から外側水平方向に延設されたフランジ３である。４ａは、長側壁２ａ、２ｂ及び短側壁２ｃ、２ｄの中程に形成された中間水平リブであり、４ｂは、フランジ３と中間水平リブ４ａの間に形成された上部水平リブであり、４ｃは、フランジ３、中間水平リブ４ａ及び上部水平リブ４ｂを、適宜、連結する垂直リブである。
【０００４】
ｐ１は、フランジ３から底部１に向かって、長側壁２ａ、２ｂの一方の隅部寄りの内壁面に形成された縦長の凹部からなるポケットであり、容器Ｂの略半分の深さを有している。ｃ１は、ポケットｐ１と適当な間隙を置いて或いはポケットｐ１に隣接して、ポケットｐ１より、容器Ｂの中央部寄りの長側壁２ａ、２ｂの外壁面に形成された支脚であり、支脚ｃ１は、中間水平リブ４ａから底部１付近まで延びるように形成されている。上記のポケットｐ１の内幅は、上記の支脚ｃ１の外幅より広く形成されている。以下、このような、幅広のポケットｐ１と幅狭の支脚ｃ１との組み合わせを幅広ポケット・支脚部Ｓ１と称する。
【０００５】
ｃ２は、長側壁２ａ、２ｂのもう一方の隅部寄りの外壁面に形成された、上述した支脚ｃ１より、幅広の支脚であり、支脚ｃ２は、中間水平リブ４ａから底部１付近まで延びるように形成されている。ｐ２は、支脚ｃ２と適当な間隙を置いて或いは支脚ｃ２に隣接して、支脚ｃ２より、容器Ｂの中央部寄りの長側壁２ａ、２ｂの内壁面に形成された縦長の凹部からなるポケットであり、容器Ｂの略半分の深さを有しており、該ポケットｐ２は、幅広ポケット・支脚部Ｓ１のポケットｐ１の内幅より狭い内幅を有している。以下、このような、幅広の支脚ｃ２と幅狭のポケットｐ２との組み合わせを幅広支脚・ポケット部Ｓ２と称する。
【０００６】
スタッキングの際に、下に位置する容器Ｂのフランジ３に載置される支脚ｃ１、ｃ２の下面には、底部１の裏面付近まで延在する突起ｄ１、ｄ２が形成されており、この突起ｄ１、ｄ２は、スタッキングの際に、下に位置する容器Ｂ内に挿入され、上に位置する容器Ｂの横移動を少なくするような機能を有するものであり、寄せリブと称されている。本実施例においては、上記の寄せリブｄ１、ｄ２は、支脚ｃ１、ｃ２の下面の略中央部から、長側壁２ａ、２ｂの外壁面に対して垂直に形成された１本の板状の直方体として構成されているが、１本に限らず、２本或いは３本以上形成することもできる。また、本実施例においては、幅広ポケット・支脚部Ｓ１のポケットｐ１及び幅広支脚・ポケット部Ｓ２のポケットｐ２は、ネスティング効率を上げるために、底無しに形成されているとともに、底無しのポケットｐ１、ｐ２の下方に位置する長側壁２ａ、２ｂには、寄せリブｄ１、ｄ２が挿入可能な凹溝５が形成されている。
【０００７】
幅広ポケット・支脚部Ｓ１の幅狭の支脚ｃ１の外幅は、幅広支脚・ポケット部Ｓ２の幅狭のポケットｐ２の内幅より狭く形成されており、従って、ネスティングの際には、幅広ポケット・支脚部Ｓ１の幅狭の支脚ｃ１が、幅広支脚・ポケット部Ｓ２の幅狭のポケットｐ２に挿入できるように構成されている。また、幅広支脚・ポケット部Ｓ２の幅広の支脚ｃ２の外幅は、幅広ポケット・支脚部Ｓ１の幅広ポケットｐ１の内幅より狭く形成されており、従って、ネスティングの際には、幅広支脚・ポケット部Ｓ２の幅広の支脚ｃ２が、幅広ポケット・支脚部Ｓ１の幅広のポケットｐ１に挿入できるように構成されている。
【０００８】
上述した中間水平リブ４ａ等のリブは、必要に応じて、省略することができる。中間水平リブ４ａを省略した場合には、支脚ｃ１、ｃ２は、上部水平リブ４ｂまで上方に、延長することが好ましい。
【０００９】
上述した幅広ポケット・支脚部Ｓ１は、相対する長側壁２ａ、２ｂの一方の隅部付近に、互いに対向して配置されており、また、相対する長側壁２ａ、２ｂのもう一方の隅部付近には、互いに対向するように、幅広支脚・ポケット部Ｓ２が配置されている。また、相対する短側壁２ｃ、２ｄのうち、長側壁２ａ、２ｂに配置された幅広ポケット・支脚部Ｓ１に近い方の短側壁２ｃの隅部付近には、幅広支脚・ポケット部Ｓ２が配置されており、また、長側壁２ａ、２ｂに配置された幅広支脚・ポケット部Ｓ２に近い方の短側壁２ｄの隅部付近には、幅広ポケット・支脚部Ｓ１が配置されている。なお、長側壁２ａ、２ｂ及び短側壁２ｃ、２ｄの両方に、幅広ポケット・支脚部Ｓ１及び幅広支脚・ポケット部Ｓ２を配設することなく、長側壁２ａ、２ｂのみ、或いは、短側壁２ｃ、２ｄにのみ、幅広ポケット・支脚部Ｓ１及び幅広支脚・ポケット部Ｓ２を配設することもできる。
【００１０】
下に位置する容器Ｂと上に位置する容器Ｂとが、同じ向きになるように、即ち、下に位置する容器Ｂの幅広ポケット・支脚部Ｓ１の上方に、上に位置する容器Ｂの幅広ポケット・支脚部Ｓ１が位置し、また、下に位置する容器Ｂの幅広支脚・ポケット部Ｓ２の上方に、上に位置する容器Ｂの幅広支脚・ポケット部Ｓ２が位置するように、容器Ｂを積み重ねると、上に位置する容器Ｂの合計８本の支脚ｃ１、ｃ２が、下に位置する容器Ｂのフランジ３に載置されるので、下に位置する容器Ｂの上に、上に位置する容器Ｂがスタッキングされることになる。なお、スタッキングの際には、上述したように、上に位置する容器Ｂの支脚ｃ１、ｃ２の寄せリブｄ１、ｄ２が、下に位置する容器Ｂ内に挿入され、上に位置する容器Ｂの横移動を少なくするように構成されている。
【００１１】
また、スタッキング状態から、上に位置する容器Ｂを、平面的に、１８０度回転させて、下に位置する容器Ｂと上に位置する容器Ｂとが、異なる向きになるように、即ち、下に位置する容器Ｂの幅広ポケット・支脚部Ｓ１の上方に、上に位置する容器Ｂの幅広支脚・ポケット部Ｓ２が位置し、また、下に位置する容器Ｂの幅広支脚・ポケット部Ｓ２の上方に、上に位置する容器Ｂの幅広ポケット・支脚部Ｓ１が位置するように配置すると、下に位置する容器Ｂの幅広ポケット・支脚部Ｓ１の幅広のポケットｐ１に、上に位置する容器Ｂの幅広支脚・ポケット部Ｓ２の幅広の支脚ｃ２が、また、下に位置する幅広支脚・ポケット部Ｓ２の幅狭のポケットｐ２に、上に位置する幅広ポケット・支脚部Ｓ１の幅狭の支脚ｃ１が、それぞれ挿入されることになり、従って、上に位置する容器Ｂの略半分が、下に位置する容器Ｂの内部に嵌め込まれてネスティングされることになる。この際、上述したように、上に位置する支脚ｃ１、ｃ２に形成された寄せリブｄ１、ｄ２は、底無しのポケットｐ１、ｐ２の下方に位置する長側壁２ａ、２ｂ或いは短側壁２ｃ、２ｄに形成された凹溝５に挿入されるように構成されている。
【００１２】
なお、上述した、長側壁２ａ、２ｂ及び短側壁２ｃ、２ｄに配設された幅広ポケット・支脚部Ｓ１及び幅広支脚・ポケット部Ｓ２の配置は、上述した配置に限定されるものではなく、下に位置する容器Ｂと上に位置する容器Ｂとが、同じ向きに積み重ねられた際には、下に位置する容器Ｂの開口部に形成されたフランジ上に、上に位置する容器Ｂの支脚が載置されて、上に位置する容器Ｂが、下に位置する容器Ｂに嵌め込まれないように積み重ねられる、所謂、スタッキングされ、また、スタッキング状態から、上に位置する容器Ｂを、平面的に、１８０度回転させることにより、上に位置する容器Ｂの支脚が、下に位置する容器Ｂのポケットに挿入されて、上に位置する容器Ｂが、下に位置する容器Ｂに嵌め込まれる、所謂、ネスティングされるような配置であればどのような配置でもよい。
【００１３】
ところで、スタッキング作業の際に、図８に示されているように、下に位置する容器Ｂ１の一方の短側壁２ｃ側のフランジ３に、上に位置する容器Ｂ２の底部１の中程を載置し、且つ、上に位置する容器Ｂ２の幅広支脚・ポケット部Ｓ２の幅広の支脚ｃ２を、下に位置する容器Ｂ１の長側壁２ａ、２ｂ側のフランジ３に載置するとともに、上記の支脚ｃ２に形成された寄せリブｄ２を、下に位置する容器Ｂ１内に位置させ、その後、上に位置する容器Ｂ２の底部１を、もう一方の短側壁２ｄ方向に移動させてスタッキングさせる、所謂、スライドスタッキングが行われている。
【００１４】
【発明が解決しようとする課題】
上述したスライドスタッキングの際には、スライド方向の前方に位置する上に位置する容器Ｂ２の幅広支脚・ポケット部Ｓ２の幅広の支脚ｃ２が、下に位置する容器Ｂ１の短側壁２ｄ付近の長側壁２ａ、２ｂ側に配置された幅広支脚・ポケット部Ｓ２のポケットｐ２を乗り越えることになるが、この際、上に位置する容器Ｂ２の長側壁２ａ、２ｂが、図８及び図９に示されているように、下に位置する容器Ｂ１の長側壁２ａ、２ｂに対して傾斜していると、上に位置する容器Ｂ２の幅広支脚・ポケット部Ｓ２の幅広の支脚ｃ２に形成された寄せリブｄ２が、下に位置する容器Ｂ１の上記のポケットｐ２の下に位置する容器Ｂの短側壁２ｄ側に位置する長側壁２ａ、２ｂに略垂直な側壁ｐ２ａに当接し、ブロックされて、上に位置する容器Ｂ２の下に位置する容器Ｂ１の短側壁２ｄ方向への移動が阻害されて、スライドスタッキングが阻止されるという問題がある。
【００１５】
なお、上述したスライドスタッキングと反対方向にスライドスタッキングする場合、即ち、下に位置する容器Ｂ１の一方の短側壁２ｄ側のフランジ３に、上に位置する容器Ｂ２の底部１の中程を載置し、且つ、上に位置する容器Ｂ２の幅広ポケット・支脚部Ｓ１の幅狭の支脚ｃ１を、下に位置する容器Ｂ１の長側壁２ａ、２ｂ側のフランジ３に載置するとともに、上記の支脚ｃ１に形成された寄せリブｄ１を、下に位置する容器Ｂ１内に位置させ、その後、上に位置する容器Ｂ２の底部１を、下に位置する容器Ｂ１の短側壁２ｃ方向に移動させる場合には、上記の支脚ｃ１は、下に位置する容器Ｂ１の短側壁２ｃ側に位置する幅広のポケットｐ１を越えることがないので、上述したような問題は起こらない。
【００１６】
本発明の目的は、上述した従来の運搬用容器Ｂが有する課題を解決することにある。
【００１７】
【課題を解決するための手段】
本発明は、上述した目的を達成するために、フランジから底部に向かって容器の略半分の深さまで延在する、側壁の内壁面に形成されたポケットと、該ポケットから適当な間隙を置いて或いは該ポケットに隣接して、底部からフランジに向かって容器の略半分の高さまで延在する、側壁の外壁面に形成された支脚との組み合わせからなるポケット・支脚部が、相対する側壁に、それぞれ複数組み形成されているとともに、上に位置する容器の支脚が、下に位置する容器のポケットに挿入されることにより、上に位置する容器が、下に位置する容器に嵌め込まれた状態、所謂、ネスティング状態となり、また、上に位置する容器の支脚が、下に位置する容器のフランジに載置された状態、所謂、スタッキング状態となるように構成された運搬用容器において、前記支脚の下面には、スタッキング状態において、下に位置する容器内に挿入され、上に位置する容器の横移動を少なくする機能を有する寄せリブが形成されているとともに、スライドスタッキング時に、下に位置する容器のポケットを乗り越える支脚に形成された寄せリブのスライド方向前方に位置する垂直側面に、前記側壁の外壁面から、前記寄せリブの先端に向かう傾斜面を形成したものである。
【００１８】
【実施例】
以下に、図１及び図２を用いて、本発明の実施例について説明するが、本発明の趣旨を越えない限り何ら、本実施例に限定されるものではない。なお、以下においては、上述した従来の運搬用容器Ｂと異なる構成についてのみ説明し、従来の運搬用容器Ｂと共通の構成については、その詳細な説明を省略するとともに、同一の符号を使用した。
【００１９】
本発明の実施例においては、上述したようにスライドスタッキングの際に、下に位置する容器Ｂ１の長側壁２ａ、２ｂに配置された幅広支脚・ポケット部Ｓ２のポケットｐ２を乗り越えることになる、上に位置する容器Ｂ２の幅広支脚・ポケット部Ｓ２の幅広の支脚ｃ２に配設された寄せリブｄ２に傾斜面を形成して、上記の寄せリブｄ２が、下に位置する容器Ｂ１の上記のポケットｐ２の短側壁２ｄ側で、且つ、長側壁２ａ、２ｂに略垂直な側壁ｐ２ａに当接した時に、下に位置する容器Ｂ１の長側壁２ａ、２ｂに対して傾斜している上に位置する容器Ｂ２が、その傾斜を是正するように構成したものである。
【００２０】
以下に、その具体的な構成について説明するが、図１には、便宜的に、一方の長側壁２ｂ及び短側壁２ｄのみが示されているとともに、幅広支脚・ポケット部Ｓ２の幅広の支脚ｃ２には、単に、符号ｃが、幅広支脚・ポケット部Ｓ２のポケットｐ２には、単に、符号ｐが、幅広支脚・ポケット部Ｓ２の幅広の支脚ｃ２に形成された寄せリブｄ２には、単に、符号ｄが付されている。
【００２１】
上述したように、従来の容器Ｂのに形成されている寄せリブｄは、支脚ｃの下面の略中央部から、長側壁２ｂの外壁面に対して垂直に形成された板状の直方体として構成されており、上に位置する容器Ｂのこのような寄せリブｄが、下に位置する容器Ｂのポケットｐを越える際に、上に位置する容器Ｂの長側壁２ｂが、上述したように、下に位置する容器Ｂの長側壁２ｂに対して傾斜していると、寄せリブｄの側面とポケットｐの長側壁２ｂに略垂直な垂直側壁とが、対面状に接触し、当接することになる。このように、寄せリブｄの側面とポケットｐの長側壁２ｂに略垂直な垂直側壁とが、面接触状に当接すると、それ以上、上に位置する容器Ｂを、スライドスタッキングするように押しても、上に位置する容器Ｂが、下に位置する容器Ｂにブロックされて、スライドスタッキングができないことになる。
【００２２】
本発明の実施例においては、ポケットｐを越える寄せリブｄのスライド方向の前方に位置する垂直側面ｄ’を、長側壁２ｂの外壁面２ｂ’から、寄せリブｄの先端ｄ”に向かう傾斜面に形成したものである。このように、寄せリブｄのスライド方向の前方に位置する垂直側面ｄ’を、傾斜面としたことにより、上に位置する容器Ｂの長側壁２ｂが、下に位置する容器Ｂの長側壁２ｂに対して傾斜しているために、上に位置する容器Ｂの寄せリブｄの傾斜面として形成された垂直側面ｄ’が、下に位置する容器Ｂのポケットｐの長側壁２ｂに略垂直な側壁ｐ２ａに当接しても、寄せリブｄに形成された傾斜面として形成された垂直側面ｄ’により、下に位置する容器Ｂの長側壁２ｂに対して傾斜している上に位置する容器Ｂの長側壁２ｂが、その傾斜を矯正されて、下に位置する容器Ｂの長側壁２ｂと略平行になり、従って、上に位置する容器Ｂの寄せリブｄの傾斜面として形成された垂直側面ｄ’と、下に位置する容器Ｂのポケットｐの長側壁２ｂに略垂直な側壁ｐ２ａとの接触が解除されて、スムースなスライドスタッキングを行うことが可能となる。
【００２３】
上に位置する容器Ｂの支脚ｃに形成された複数の寄せリブｄが、下に位置する容器Ｂのポケットｐを越える場合には、複数の寄せリブｄに、それぞれ、上述したような傾斜面した垂直側面ｄ’を形成することになる。また、図３に示されているように、寄せリブｄのスライド方向の前方に位置する垂直側面ｄ’のみならず、スライド方向の後ろに位置する垂直側面にも、傾斜面ｄ’を形成することができる。
【００２４】
また、図４に示されているように、上述した寄せリブｄは、長側壁２ｂを、容器Ｂの内側から外側に向かって膨出させることにより形成することができるが、この際、寄せリブｄの水平断面形状が、略半円形状や略台形状や略三角形状になるように、長側壁２ｂを膨出させることにより、寄せリブｄに、傾斜面ｄ’を形成することもできる。
【００２５】
なお、上述した実施例には、ポケットｐが、底無しに形成されている例が示されているが、ポケットｐを、公知のように、有底に形成することもできる。
【００２６】
【発明の効果】
本発明は、以上説明したような構成を有するので、以下に記載する効果を奏するものである。
【００２７】
上に位置する容器が、下に位置する容器に対して傾斜している場合にも、スムースがスライドスタッキングを行うことができ、従来のように、スライドスタッキングが阻止されるようなことが防止できる。
【図面の簡単な説明】
【図１】図１は本発明の運搬用容器の部分斜視図である。
【図２】図２は本発明の運搬用容器の裏面図である。
【図３】図３は本発明の別の実施例の運搬用容器の部分斜視図である。
【図４】図４は本発明の更に別の実施例の運搬用容器の寄せリブを含む水平断面図である。
【図５】図５は従来の運搬用容器の斜視図である。
【図６】図６は従来の運搬用容器の平面図である。
【図７】図７は従来の運搬用容器の裏面斜視図である。
【図８】図８は従来の運搬用容器のスライドスタッキング状態を示す斜視図である。
【図９】図９は同じく従来の運搬用容器のスライドスタッキング状態を示す斜視図である。
【図１０】図１０は図９に示されているスライドスタッキング状態を示す部分斜視図である。
【符号の説明】
Ｓ１・・・・・・・幅広ポケット・支脚部
Ｓ２・・・・・・・幅広支脚・ポケット部
ｃ１、ｃ２・・・・支脚
ｐ１、ｐ２・・・・ポケット
１・・・・・・・・底部
２ａ、２ｂ・・・・長側壁
２ｃ、２ｄ・・・・短側壁
３・・・・・・・・フランジ
ｄ１、ｄ２・・・・寄せリブ
【図１】
0003863349.tif 000002
【図２】
0003863349.tif 000003
【図３】
0003863349.tif 000004
【図４】
0003863349.tif 000005
【図５】
0003863349.tif 000006
【図６】
0003863349.tif 000007
【図７】
0003863349.tif 000008
【図８】
0003863349.tif 000009
【図９】
0003863349.tif 000010
【図１０】
0003863349.tif 000011